(57)【要約】【課題】とくに、位置情報に関連するアドレス情報を、プリントして建物、地点の構造物に貼り付けるラベルを印刷することができる携帯プリンタを得る。【解決手段】内蔵キーボード２および外部情報端末９に接続可能なインタフェース３を有し、入力される入力文字情報をプリントする携帯プリンタ１において、ＧＰＳユニット７と、少なくともＧＰＳユニットから取得した位置情報を文字列情報１４として生成する文字列情報生成手段１３と、文字列情報１４を二次元ＱＲコード情報１６に変換、生成するＱＲコード生成手段１５と、ＱＲコード情報１６とともに、印刷出力すべき必要な文字列情報８を、レイアウト情報１０Ｂに基づいて合成し、印刷情報１８を生成する印刷情報生成手段１７と、印刷情報生成手段１７で生成された印刷情報１８をラベル２０の表面に印刷する印刷手段１９とを備える。【選択図】図１
2007296833.tif 000002
【特許請求の範囲】
【請求項１】
内蔵キーボードおよび外部情報端末に接続可能なインタフェースを有し、これら内蔵キーボードまたは外部情報端末から入力される入力文字情報をプリントする携帯プリンタにおいて、
ＧＰＳユニットと、
前記入力文字情報およびＧＰＳユニットから取得した位置情報のうち少なくともＧＰＳユニットから取得した位置情報を文字列情報として生成する文字列情報生成手段と、
前記文字列情報生成手段により生成された文字列情報を二次元ＱＲコード情報に変換、生成するＱＲコード生成手段と、
前記ＱＲコード生成手段により生成されたＱＲコード情報とともに、印刷出力すべき必要な文字列情報を、外部情報端末から入力されるもしくは内蔵メモリに格納したレイアウト情報に基づいて合成し、印刷情報を生成する印刷情報生成手段と、
前記印刷情報生成手段で生成された印刷情報をラベル表面に印刷する印刷手段と
を備えたことを特徴とする携帯プリンタ。
【請求項２】
さらに、前記ＱＲコード情報を印刷するラベル表面を透明カバーシールでラミネートするラミネート手段を設けた請求項１記載の携帯プリンタ。
【請求項３】
前記ラベル裏面は、剥離シートによりカバーする粘着面とした請求項１または２記載の携帯プリンタ。
【請求項４】
さらに、内蔵時計もしくは電波時計受信ユニットにより、日時情報も印刷出力可能にした請求項１〜３のうちいずれか一項に記載の携帯プリンタ。
【発明の詳細な説明】
【技術分野】
【０００１】
本発明は、内蔵キーボードおよび外部情報端末に接続可能なインタフェースを有し、これら内蔵キーボードまたは外部情報端末から入力される文字情報をプリントする携帯プリンタに関するものである。
【背景技術】
【０００２】
このような携帯プリンタとしては、主に物流関連で利用され、例えば、商品伝票や、宅配便ドライバによる不在配達票の印刷等に使用されるものがあった。（例えば、特許文献１参照。）一方、ＧＰＳを介在した位置情報の取得と活用も、物流業界や建設業界などの様々な分野で進められており、ＱＲコード化された位置情報による建物、構造物などの位置情報検出などの利活用が行われている。（例えば、特許文献２参照。）
【特許文献１】特開２００４‐２１６７１９号公報
【特許文献２】特開２００４‐２１３１９１号公報
【発明の開示】
【発明が解決しようとする課題】
【０００３】
しかし、これら物流関連で使用される携帯プリンタは、極めて小さい文字で商品情報を印刷するか、少ない文字数（情報量）のものを文字でもしくはバーコード化して印刷するものでしかなかった。また、携帯プリンタを利用する現場などで、位置情報を取得・活用したい場合、これをいったん何らかの手段で記録し、別途パソコンなどで加工の上、出力および印刷するしかなく、現場で実測により空間情報を取得し、その場で利活用するには困難があった。
【０００４】
したがって、本発明の目的は、物流関連情報以外の情報として、例えば、住所、位置、ＵＲＬ等のアドレス情報、とくにＧＰＳユニットから取得される位置情報を付加し、位置情報に関連する比較的多い情報量の内容を、担当員が出先でプリントして建物、地点の構造物に貼り付けるシール、ステッカー等のラベルを印刷することができる携帯プリンタを得るにある。
【課題を解決するための手段】
【０００５】
この目的を達成するため、本発明携帯プリンタは、
ＧＰＳユニットと、
前記入力文字情報およびＧＰＳユニットから取得した位置情報のうち少なくともＧＰＳユニットから取得した位置情報を文字列情報として生成する文字列情報生成手段と、
前記文字列情報生成手段により生成された文字列情報を二次元ＱＲコード情報に変換、生成するＱＲコード生成手段と、
前記ＱＲコード生成手段により生成されたＱＲコード情報とともに、印刷出力すべき必要な文字列情報を、外部情報端末から入力されるもしくは内蔵メモリに格納したレイアウト情報に基づいて合成し、印刷情報を生成する印刷情報生成手段と、
前記印刷情報生成手段で生成された印刷情報をラベル表面に印刷する印刷手段と
を備えたことを特徴とする。
【発明の効果】
【０００６】
本発明携帯プリンタによれば、担当員が現場で、住所表示のみならず、ＧＰＳにより取得できる東経／北緯の位置情報、ならびに必要に応じて、建物名、会社名、ＵＲＬ情報、ＰＲもしくは説明用の文字情報も、二次元ＱＲコードによってコンパクトに、さらに、必要に応じて文字情報も並記してラベルにプリントできる。このラベルを、建物、例えば、官公庁建物の入口、コンビニエンスストア等、もしくは公共の構造物、例えば、電柱等に貼り付ける。
【０００７】
携帯電話等のＱＲコードを読み取ることができる機器があれば、タクシーを手配する際もしくは災害時の位置情報通知の際に、音声通話ではなく、本発明携帯プリンタにより印刷したラベルからＱＲコードを読み取って、ＧＰＳ位置情報を、データ通信によりタクシー会社、１１０番、１１９番に通知でき、この情報通知はデータとして確実に記録することができる。
【発明を実施するための最良の形態】
【０００８】
好適な実施例においては、前記ＱＲコード情報を印刷するラベル表面を透明カバーシールでラミネートするラミネート手段を設ける。また、ラベル裏面は、剥離シートによりカバーする粘着面とすると好適である。さらに、内蔵時計もしくは電波時計受信ユニットにより、日時情報も印刷出力可能にすると好適である。
【０００９】
次に、図面につき本発明の好適な実施例を説明する。
【実施例】
【００１０】
図１は、本発明による携帯プリンタの実施例のブロック図を示す。本発明携帯プリンタ１は、内蔵キーボード２と、外部情報端末９に接続可能なインタフェース３とを有する。このインタフェース３は、ＩｒＤＡ、ＵＳＢ、Ｂｌｕｅｔｏｏｔｈ、ＲＳ‐２３２Ｃ等のうちの１個またはそれ以上とすることができ、外部情報端末９は、パソコン、ＰＤＡ、携帯電話とすることができる。内蔵キーボード２から入力されるキー入力情報４は、ＭＣＵ（マイクロコンピュータユニット）における内蔵メモリ５に格納した文字変換エンジン５ａを介して文字列として液晶ディスプレイ６に出力されるようにする。
【００１１】
本発明携帯プリンタ１は、さらに、ＧＰＳユニット７を有する。このＧＰＳユニット７は、携帯プリンタ１に内蔵する内蔵タイプもしくは外付けタイプとすることができる。
【００１２】
本発明携帯プリンタ１によれば、内蔵キーボード２で入力されて文字変換エンジン５により文字変換された文字列情報８、外部情報端末９からインタフェース３を介して入力された入力文字情報１０Ａおよびレイアウト情報１０Ｂ、およびＧＰＳ衛星１１と通信するＧＰＳユニット７から取得したＧＰＳ位置情報１２を、ＭＣＵ（マイクロコンピュータユニット）における文字列情報生成手段１３により、レイアウト情報に基づいてレイアウトされる文字列情報１４を生成する。レイアウト情報１０Ｂは、外部情報端末９から外部入力される代わりに、内蔵メモリ５に予め格納しておくこともできる。
【００１３】
本発明携帯プリンタ１によれば、文字列情報生成手段１３によって生成された必要とされる文字列情報１４を、ＭＣＵ（マイクロコンピュータユニット）におけるＱＲコード生成手段１５により二次元のＱＲコード情報１６を生成する。この二次元ＱＲコード情報１６は、ＭＣＵ（マイクロコンピュータユニット）における印刷情報生成手段１７に送る。
【００１４】
印刷情報生成手段１７は、よって、二次元ＱＲコードと、印刷出力すべき必要な文字列情報８をレイアウト情報に基づいて合成し、印刷情報１８を生成する。この印刷情報１８を印刷手段１９により、ラベル２０にプリントアウトする。
【００１５】
さらに、携帯プリンタ１の好適な実施例においては、電波時計受信ユニット２２を設け、電波時計受信ユニットが受信した日時を文字列に変換し、二次元ＱＲコード及び／又は印刷出力すべき必要な文字列として、例えば、「2005/05/15  11:22;33」等の日時表示も出力することができるようにする。電波時計受信ユニット２２の代わりに、ＭＣＵ（マイクロコンピュータユニット）における内蔵時計による日時情報を印刷出力してもよい。このように日時情報も印刷出力するようにすると、保守点検作業時の確認用に、また駐車違反取締における証拠物件として利用することができる。
【００１６】
ラベル２０は、ラミネート手段２１により、ＱＲコード情報を印刷するラベル表面を透明カバーシールでラミネートする。また、ラベル２０の裏面は、剥離シートによりカバーする粘着面とすると好適である。また、ラベル２０は紙でなくともよく、ポリエステル、塩化ビニール、アルミ箔等、耐候性、耐水性のある媒体とすることができる。
【００１７】
図２および図３にラベルに印刷されるＱＲコードの実施例を示し、各図の（ａ）はＱＲコード、（ｂ）はＱＲコード読み取り装置、例えば、携帯電話で読み取ったＱＲコードに対応する文字列を示す。図４には、文字列とＱＲコードをレイアウト印刷したラベル２０を電信柱２３に貼り付けた実施例を示す。
【産業上の利用可能性】
【００１８】
通信関連、建設関連、物流関連等の業界で、担当員が現場で必要なＧＰＳ位置情報を含む情報をラベルにプリントし、必要な箇所に貼り付けるのに利用できる。
【図面の簡単な説明】
【００１９】
【図１】本発明による携帯プリンタのブロック図である。
【図２】ラベルに印刷されるＱＲコードの第１の実施例を示し、各図の（ａ）はＱＲコード、（ｂ）はＱＲコード読み取り装置でＱＲコードを読み取るとき表示されるＱＲコードの内容の文字列を示す。
【図３】ラベルに印刷されるＱＲコードの第２の実施例を示し、各図の（ａ）はＱＲコード、（ｂ）はＱＲコード読み取り装置でＱＲコードを読み取るとき表示されるＱＲコードの内容の文字列を示す。
【図４】文字列とＱＲコードをレイアウト印刷したラベル２０を電信柱に貼り付けた実施例を示す説明図である。
【符号の説明】
【００２０】
１    携帯プリンタ
２    内蔵キーボード
３    インタフェース
４    キー入力情報
５    内蔵メモリ
５ａ  文字変換エンジン
６    液晶ディスプレイ
７    ＧＰＳユニット
８    文字列情報
９    外部情報端末
１０Ａ  入力文字情報
１０Ｂ  レイアウト情報
１１    ＧＰＳ衛星
１２    ＧＰＳ位置情報
１３    文字列情報生成手段
１４    文字列情報
１５    ＱＲコード生成手段
１６    ＱＲコード情報
１７    印刷情報生成手段
１８    印刷情報
１９    印刷手段
２０    ラベル
２１    ラミネート手段
２２    電波時計受信ユニット
２３    電信柱
ＭＣＵ  マイクロコンピュータユニット
【図１】
2007296833.tif 000003
【図２】
2007296833.tif 000004
【図３】
2007296833.tif 000005
【図４】
2007296833.tif 000006